(57)【要約】【課題】  簡単な構造の回路により、電気機器の動作時間を自動でかつ精度よく計測することができる時間計測装置を提供する。【解決手段】  トランスファ接点構造（６０）のメーク接点（６０ａ）側の出力端子（６４）とブレーク接点（４０ｂ）側の出力端子（６４）とを短絡して引き出したラインと、トランスファ接点構造のコモン接点（６０ｃ）側の出力端子（６４）から引き出したラインと、を電源（８０）を介してブレーク接点構造の第２のリレー（２０）の入力端子（２３）に接続し、トランスファ接点構造への入力信号の入力及び停止により、トランスファ接点構造の可動子（６１）がメーク接点とブレーク接点との間を移動する動作中に、ブレーク接点構造の第２のリレーのコイル（２２）を非励磁にして、その可動子（２１）をブレーク接点（２０ｂ）に瞬間的に接触させて、ワンショット信号を生成し、これを利用してストップウォッチ（５０）のスタート／ストップ操作を行う。【選択図】    図１
2006133071.tif 000002
【特許請求の範囲】
【請求項１】
メーク接点（６０ａ）とブレーク接点（６０ｂ）とを有するトランスファ接点構造（６０）の第１のリレー（１０）と、ブレーク接点（２０ｂ）を有するブレーク接点構造の第２のリレー（２０）と、該第２のリレー（２０）を動作させる電源（８０）とを備え、
前記トランスファ接点構造（６０）のメーク接点（６０ａ）側の出力端子（６４ａ）とブレーク接点（６０ｂ）側の出力端子（６４ｂ）とを短絡して引き出したラインと、トランスファ接点構造（６０）のコモン接点（６０ｃ）側の出力端子（６４ｃ）から引き出したラインと、を前記電源（８０）を介して第２のリレー（２０）の入力端子（２３）に接続し、
前記第１のリレー（１０）への入力信号の入力及び停止により、トランスファ接点構造（６０）の可動子（６１）がメーク接点（６０ａ）とブレーク接点（６０ｂ）との間を移動する動作中に、第２のリレー（２０）のコイル（２２）を非励磁にして第２のリレー（２０）の可動子（２１）をブレーク接点（２０ｂ）に瞬間的に接触させて、ワンショット信号を生成する、
ことを特徴とするワンショット回路。
【請求項２】
前記第２のリレー（２０）の出力側にはタイマー回路（４０）が接続され、
該タイマー回路（４０）は、第２のリレー（２０）の出力信号を受けて作動を開始し、所定時間経過後に作動を停止する、
ことを特徴とする請求項１に記載したワンショット回路。
【請求項３】
電気機器（３）の動作開始及び動作停止の信号を入力信号として動作する第１のリレー（１０）と、
第１のリレー（１０）の出力信号を入力信号として動作する第２のリレー（２０）と、
該第２のリレー（２０）を動作させる電源（８０）と、
前記第２のリレー（２０）の出力信号を入力信号としてスタート／ストップ操作を行うストップウォッチ（５０）とを備え、
前記第１のリレー（１０）は、メーク接点（６０ａ）とブレーク接点（６０ｂ）とを有するトランスファ接点構造（６０）を有し、該トランスファ接点構造（６０）のメーク接点（６０ａ）側の出力端子（６４ａ）とブレーク接点（６０ｂ）側の出力端子（６４ｂ）とを短絡して引き出したラインと、トランスファ接点構造（６０）のコモン接点（６０ｃ）側の出力端子（６４ｃ）から引き出したラインと、を前記電源（８０）を介して前記第２のリレー（２０）の入力端子（２３）に接続し、
第２のリレー（２０）は、ブレーク接点（２０ｂ）を有するブレーク接点構造を有し、該第２のリレー（２０）の出力端子（２４）を前記ストップウォッチ（５０）のスタート／ストップ接点（５０ａ）に接続して、
前記電気機器（３）からの入力信号を受けて第１のリレー（１０）のトランスファ接点構造（６０）を動作させ、該トランスファ接点構造（６０）の可動子（６１）がメーク接点（６０ａ）とブレーク接点（６０ｂ）との間を移動する動作中に、第２のリレー（２０）のコイル（２２）を非励磁にして第２のリレー（２０）の可動子（２１）をブレーク接点（２０ｂ）に瞬間的に接触させてワンショット信号を生成し、
該ワンショット信号によりストップウォッチ（５０）のスタート／ストップ接点（５０ａ）の開閉を行う、
ことを特徴とする時間計測装置。
【請求項４】
前記第２のリレー（２０）の出力側にはタイマー回路（４０）が接続され、
該タイマー回路（４０）は、第２のリレー（２０）の出力信号を受けて作動を開始し、所定時間経過後に作動を停止する、
ことを特徴とする請求項３に記載した時間計測装置。
【請求項５】
前記第１のリレー（１０）は、メーク接点（７０ａ）を有するメーク接点構造（７０）をさらに備え、該メーク接点構造（７０）の出力端子（７４）に動作カウンタ（３０）を接続して、メーク接点構造（７０）の出力信号の出力回数をカウントする、
ことを特徴とする請求項３又は請求項４に記載した時間計測装置。
【発明の詳細な説明】
【技術分野】
【０００１】
本発明は、ワンショット回路及びこれを用いた時間計測装置にかかり、より詳細には、構造の簡単で、また、電気機器の動作時間を自動で、かつ精度良く計測することができるワンショット回路及びこれを用いた時間計測装置に関するものである。
【背景技術】
【０００２】
コンプレッサの機能劣化を判断するためにコンプレッサを駆動する駆動モータの動作時間を計測する場合がある。たとえば、あるタンク内の圧力を規定値圧力に保つために、タンク内の圧力が下限規定値まで低下したときにコンプレッサを駆動し、タンク内の圧力が上限規定値に達したときにコンプレッサの駆動を停止するようにした装置では、コンプレッサの機能劣化を判断するために、駆動モータの動作時間の計測が行われる。すなわち、タンク内の圧力をその下限規定値から上限規定値までに上昇させるのにどのくらいの時間がかかったかによりコンプレッサの機能劣化が判断される。
ここで従来、このような駆動モータの動作時間の計測は、ストップウォッチを用い、駆動モータが駆動したときに人為的にストップウォッチのスタートボタンを操作し、駆動モータが停止したときにストップボタンを操作することで行われていた。
そのため、駆動モータの動作時間の計測の際には、駆動モータの近傍にストップウォッチを操作する人員を配置しなければならないという問題があった。また計測は、人員の問題から、定期的、たとえば半年に１回、１年に１回程度しか行うことができなかった。さらに定期点検時においても、コンプレッサの駆動モータは、いつ駆動し、また、いつ停止するか分からないため、計測する人員はその場所に長時間待機しなければならないことが多いという問題があった。
【０００３】
そこで、ストップウォッチの操作を自動感覚で行うものとして以下の特許文献１に記載の考案が提案されている。特許文献１に記載の考案は、既存のストップウォッチにそのスタート／ストップ操作ボタン（作動ボタン）の各接点（各スイッチング接点）を外部に取り出す取り出し手段（３つ（青、黒、赤）のクリップ付き導線）を設けたものである。
具体的には、青クリップと黒クリップとを接触させるとスタート／ストップボタンを押したことに、また、赤クリップと黒クリップとを接触させるとリセットボタンを押したことになるようになっている。
このようなストップウォッチは、たとえば、プールにおいて水泳のタイムを自分１人で計測するのに使われ、スタート台にスイッチボードを設置し、ゴールにタッチセンサを設置し、スタート台のスイッチボードから泳者が離れるとスタートスイッチが作動し、泳者がタッチセンサに接触するとストップスイッチが作動するようになっている。これにより、ストップウォッチを直接操作して計測する計測者を必要とせず、ストップウォッチから離間した位置に設置したスイッチの操作により時間の計測を可能にしている。
【特許文献１】実用新案登録番号３０５３１５５号公報
【発明の開示】
【発明が解決しようとする課題】
【０００４】
ここで上記特許文献１に記載された考案は、上述したコンプレッサの駆動モータのような電気機器の動作時間を計測するものではなく、単に、人間が行う所定の動作（水泳）の動作時間を計測しているにすぎないものである。また、スイッチボード及びタッチセンサの操作は泳者である人間が行うため、結局はストップウォッチを人間が操作しているに他ならない。
このように、特許文献１に記載の考案は、電気機器の動作時間を計測するものでなく、また、自動でストップウォッチのスタート／ストップボタンが操作されるものでもないため、たとえば、電気機器であるモータの動作時間を計測しようとしても、この考案をそのまま適用して動作時間の自動計測を行うことができないといった問題があった。
なお、人為的にストップウォッチを操作する場合は、その操作者の操作の仕方により誤差が生じやすく、特に、動作時間が短い（数sec以下）場合、操作者の操作能力（俊敏性など）による誤差が大きく、精度良い計測を行うことができないという問題があった。
【０００５】
本発明は、かかる問題点を解決するために創案されたものである。すなわち、本発明の目的は、トランスファ接点を有するトランスファ型リレーを用いることで、ワンショット信号を簡単に生成することができるワンショット回路、および、このワンショット回路のワンショット信号によりストップウォッチのスタート／ストップボタンを操作することで、電気機器の動作時間を自動で、かつ精度良く計測することができる時間計測装置を提供することにある。
【課題を解決するための手段】
【０００６】
上記目的を達成するため、請求項１に記載のワンショット回路は、メーク接点（６０ａ）とブレーク接点（６０ｂ）とを有するトランスファ接点構造（６０）の第１のリレー（１０）と、ブレーク接点（２０ｂ）を有するブレーク接点構造の第２のリレー（２０）と、該第２のリレー（２０）を動作させる電源（８０）とを備え、前記トランスファ接点構造（６０）のメーク接点（６０ａ）側の出力端子（６４ａ）とブレーク接点（６０ｂ）側の出力端子（６４ｂ）とを短絡して引き出したラインと、トランスファ接点構造（６０）のコモン接点（６０ｃ）側の出力端子（６４ｃ）から引き出したラインと、を前記電源（８０）を介して第２のリレー（２０）の入力端子（２３）に接続し、前記第１のリレー（１０）への入力信号の入力及び停止により、トランスファ接点構造（６０）の可動子（６１）がメーク接点（６０ａ）とブレーク接点（６０ｂ）との間を移動する動作中に、第２のリレー（２０）のコイル（２２）を非励磁にして第２のリレー（２０）の可動子（２１）をブレーク接点（２０ｂ）に瞬間的に接触させて、ワンショット信号を生成する、ことを特徴とする。
【０００７】
請求項２に記載のワンショット回路は、前記第２のリレー（２０）の出力側にはタイマー回路（４０）が接続され、該タイマー回路（４０）は、第２のリレー（２０）の出力信号を受けて作動を開始し、所定時間経過後に作動を停止する、ことを特徴とする。
【０００８】
また、請求項３に記載の時間計測装置は、電気機器（３）の動作開始及び動作停止の信号を入力信号として動作する第１のリレー（１０）と、第１のリレー（１０）の出力信号を入力信号として動作する第２のリレー（２０）と、該第２のリレー（２０）を動作させる電源（８０）と、前記第２のリレー（２０）の出力信号を入力信号としてスタート／ストップ操作を行うストップウォッチ（５０）とを備え、前記第１のリレー（１０）は、メーク接点（６０ａ）とブレーク接点（６０ｂ）とを有するトランスファ接点構造（６０）を有し、該トランスファ接点構造（６０）のメーク接点（６０ａ）側の出力端子（６４ａ）とブレーク接点（６０ｂ）側の出力端子（６４ｂ）とを短絡して引き出したラインと、トランスファ接点構造（６０）のコモン接点（６０ｃ）側の出力端子（６４ｃ）から引き出したラインと、を前記電源（８０）を介して前記第２のリレー（２０）の入力端子（２３）に接続し、第２のリレー（２０）は、ブレーク接点（２０ｂ）を有するブレーク接点構造を有し、該第２のリレー（２０）の出力端子（２４）を前記ストップウォッチ（５０）のスタート／ストップ接点（５０ａ）に接続して、前記電気機器（３）からの入力信号を受けて第１のリレー（１０）のトランスファ接点構造（６０）を動作させ、該トランスファ接点構造（６０）の可動子（６１）がメーク接点（６０ａ）とブレーク接点（６０ｂ）との間を移動する動作中に、第２のリレー（２０）のコイル（２２）を非励磁にして第２のリレー（２０）の可動子（２１）をブレーク接点（２０ｂ）に瞬間的に接触させてワンショット信号を生成し、該ワンショット信号によりストップウォッチ（５０）のスタート／ストップ接点（５０ａ）の開閉を行う、ことを特徴とする。
【０００９】
請求項４に記載の時間計測装置は、前記第２のリレー（２０）の出力側にはタイマー回路（４０）が接続され、該タイマー回路（４０）は、第２のリレー（２０）の出力信号を受けて作動を開始し、所定時間経過後に作動を停止する、ことを特徴とする。
【００１０】
請求項５に記載の時間計測装置は、前記第１のリレー（１０）は、メーク接点（７０ａ）を有するメーク接点構造（７０）をさらに備え、該メーク接点構造（７０）の出力端子（７４）に動作カウンタ（３０）を接続して、メーク接点構造（７０）の出力信号の出力回数をカウントする、ことを特徴とする。
【発明の効果】
【００１１】
請求項１に記載の発明によれば、トランスファ接点構造（６０）の可動子（６１）がメーク接点（６０ａ）とブレーク接点（６０ｂ）との間を移動する動作中には、ブレーク接点構造の第２のリレー（２０）のコイル（２２）は非励磁になり、その可動子（２１）はブレーク接点（２０ｂ）に接触するため、ワンショット信号を生成することができる。これにより、簡単な構造のワンショット回路（２）を提供することができる。
【００１２】
請求項２に記載の発明によれば、ブレーク接点構造の第２のリレー（２０）の出力側にタイマー回路（４０）を接続し、ブレーク接点構造の第２のリレー（２０）の出力信号を受けて前記タイマー回路（４０）を作動させ、該タイマー回路（４０）の作動開始から所定時間経過後にタイマー回路（４０）の作動を停止するようにしたので、ブレーク接点構造の第２のリレー（２０）の出力信号がチャタリングを起こしても、タイマー回路（４０）から出力される出力信号はチャタリングを起こさず、安定したワンショット信号を出力することができる。
【００１３】
請求項３に記載の発明によれば、請求項１に記載したワンショット回路（２）の生成するワンショット信号を利用することで、ストップウォッチ（５０）のスタート／ストップ操作を自動で行うことができ、電気機器の動作時間を精度良く計測を行うことができる。
【００１４】
請求項４に記載の発明によれば、第２のリレー（２０）の出力信号がチャタリングを起こしても、タイマー回路（４０）から出力される出力信号はチャタリングを起こさず、ストップウォッチ（５０）のスタート／ストップ接点（５０ａ）を確実に操作することができ、電気機器の動作時間を精度良く計測を行うことができる。
【００１５】
請求項５に記載の発明によれば、前記第１のリレー（１０）は、メーク接点（７０ａ）を有するメーク接点構造（７０）をさらに備え、該メーク接点構造（７０）の出力端子（７４）に動作カウンタ（３０）を接続したので、メーク接点構造（７０）の出力信号の出力回数、すなわち、電気機器（３）の動作回数をカウントすることができ、たとえば、複数回の動作時間の計測を行い、累積動作時間を動作回数で除算することで、その平均値を算出することができる。
【発明を実施するための最良の形態】
【００１６】
簡単な構造の回路により、電気機器の動作時間を自動でかつ精度よく計測するという目的を、トランスファ接点構造の第１のリレーのメーク接点側の出力端子とブレーク接点側の出力端子とを短絡して引き出したラインと、コモン接点側の出力端子から引き出したラインと、をブレーク接点構造の第２のリレーの入力端子に接続することで、第１のリレーの可動子がメーク接点とブレーク接点との間を移動する動作中に、第２のリレーのコイルを非励磁にしてその可動子をブレーク接点に瞬間的に接触させて、ワンショット信号を生成させ、このワンショット信号によりストップウォッチのスタート／ストップボタンを操作することにより実現した。
【実施例１】
【００１７】
以下、本発明の時間測定装置の構造及び動作を図面を参照して詳細に説明する。この実施例１は、本発明の時間計測装置を、例えば電動式コンプレッサ等の電気機器としての駆動モータ３の動作時間の計測に適用したものである。
この駆動モータ３はコンプレッサを駆動してタンク内の圧力を一定に保つためのもので、タンク内の圧力が下限規定値より低下したときにコンプレッサを駆動し、タンク内の圧力が上限規定値に達したときにコンプレッサの駆動を停止するようになっている。そして、実施例１にかかる時間計測装置１は、ワンショット回路２が時間計測装置１のスタート／ストップ操作を自動で行うことで、駆動モータ３が動作している間の動作時間を計測するようになっている。
【００１８】
図１乃至図１０は時間計測装置１の回路図であり、各図は時間計測装置１の構造、および動作の各ステップを順に説明するものである。
図に示すように、本発明の実施例１にかかる時間計測装置１は、駆動モータ３の駆動信号を入力信号として動作する極数が２つの第１のリレー１０と、第１のリレー１０の一方の極の出力信号により動作しブレーク接点を有する第２のリレー２０と、第１のリレー１０の他方の極の出力信号により動作する動作カウンタ３０と、第２のリレー２０の出力信号により動作するタイマー回路４０と、タイマー回路４０の出力信号によりスタート／ストップ操作が行われるストップウォッチ５０と、を備える。
ここで、リレーについて「極数」とはリレーの接点極数のことであり、接点回路数を意味する。極数２つのリレーとは２組の接点構造を有し、出力端子が２組あるということである。なお、接点構造がメーク接点構造のリレー及びブレーク接点構造のリレーにあってはコモン接点側端子とメーク接点側端子又はブレーク接点側端子との２つの出力端子を有し、この２つの出力端子で１組の出力端子を構成する。また、トランスファ接点構造のリレーにあってはコモン接点側端子、メーク接点側端子及びブレーク接点側端子の３つ出力端子を有し、この３つの出力端子で１組の出力端子を構成する。
【００１９】
駆動モータ３はＡＣ２２０Ｖの３相モータであり、マグネットスイッチ４のＯＮにより駆動し、ＯＦＦにより駆動が停止される。また、駆動モータ３への３本の動力線のうち２本から分岐したラインが設けられ、これらラインが第１のリレー１０の計測入力端子１１に接続されていて、マグネットスイッチ４のＯＮにより、第１のリレー１０のコイル１２に２２０Ｖが直接印加してこれを励磁（exciting）する。
【００２０】
第１のリレー１０は接点極数が２つのリレーであり、その一方の極がトランスファ接点構造６０で、他方の極がメーク接点構造７０で構成される。
トランスファ接点構造６０は、コモン接点６０ｃ側の可動子６１と常時開のメーク接点６０ａと常時閉のブレーク接点６０ｂとを有し、コイル１２に通電したとき（動作状態）に可動子６１がメーク接点６０ａに接触し、コイル１２への通電を遮断したとき（開放状態）に可動子６１がブレーク接点６０ｂに接触する。
また、トランスファ接点構造６０のメーク接点６０ａ側の出力端子６４ａとブレーク接点６０ｂ側の出力端子６４ｂとは短絡され、これら短絡したラインが第２のリレー２０の一方の入力端子２３に接続されている。また、コモン接点６０ｃ側の出力端子６４ｃは第２のリレー２０の他方の入力端子２３に、直流電源（６Ｖ）８０と電源スイッチ８１を介して接続されている。この直流電源８０は第２のリレー２０を動作させるための電源であり、また、当該時間計測装置１の電源として機能し、電源スイッチ８１は当該時間計測装置１のメインスイッチとして機能する。
【００２１】
そして、第１のリレー１０のトランスファ接点構造６０と第２のリレー２０とこの第２のリレー２０を動作させる直流電源８０とによりワンショット回路２が構成される。
すなわち、トランスファ接点構造６０が動作するとき、たとえば、可動子６１がブレーク接点６０ｂとの接触状態からメーク接点６０ａとの接触状態へ切り替わる動作中のとき（数msec間だけ）、トランスファ接点構造６０の各出力端子６４ａ、６４ｂから出力信号が出力されない状態が発生する。この間、第２のリレー２０のコイル２２は非励磁（un-exciting）となって可動子２１をブレーク接点２０ｂに接触させる。この可動子２１とブレーク接点２０ｂとの瞬間的な接触により第２のリレー２０の出力端子２４から出力信号が出力される。
可動子２１とブレーク接点２０ｂとの接触は次にコイル２２が励磁されるまでの数msec間であり、トランスファ接点構造６０の可動子６１がメーク接点６０ａに接触すると、コイル２２が再び励磁して可動子２１がブレーク接点２０ｂから離間して（開状態）第２のリレー２０からの出力信号は停止する。
このように、第１のリレー１０のトランスファ接点構造６０が動作中（可動子６１がブレーク接点６０ｂからメーク接点６０ａ（又はその逆）に切り替わるとき）のみ第２のリレー２０への出力信号が途絶え、このとき、可動子２１とブレーク接点２０ｂとの離間−接触−離間動作によりワンショット信号が生成される。
【００２２】
第１のリレー１０のメーク接点構造７０は、可動子７１と常時開のメーク接点７０ａとを有し、コイル１２に通電したときに可動子７１がメーク接点７０ａに接触し（動作状態）、コイル１２への通電を遮断したときにメーク接点７０ａが開放される（開放状態）。
第１のリレー１０のメーク接点構造７０の出力端子７４は動作カウンタ３０の入力端子にそれぞれ接続されている。なお、第１のリレー１０を、２つの極ともにトランスファ接点構造にして、一方のトランスファ接点構造を、そのブレーク接点を使用しないでメーク接点構造として利用しても良い。
【００２３】
第２のリレー２０はブレーク接点構造のリレーであり、可動子２１と常時閉のブレーク接点２０ｂとを有し、コイル２２に通電したとき（動作状態）に可動子２１がブレーク接点２０ｂから離間し（開状態）、コイル２２への通電を遮断したとき（開放状態）に可動子２１がブレーク接点２０ｂに接触する（閉状態）ようになっている。なお、第２のリレー２０の２つの入力端子２３には、前述のとおり、その一方の入力端子２３にトランスファ接点構造６０のメーク接点６０ａとブレーク接点６０ｂとの短絡ラインが接続され、また、他方の入力端子２３にトランスファ接点構造６０のコモン接点６０ｃ側のラインが直流電源（６Ｖ）８０と電源スイッチ８１を介して接続されている。
【００２４】
動作カウンタ３０はいわゆる万歩計（商品名。以下同じ。）を改造したもので、万歩計の振り子接点を外部に取り出し、これらをメーク接点構造７０の出力端子７４にそれぞれ接続したものである。これにより、メーク接点構造７０の１回の動作により、動作カウンタ３０を１つカウントするようになっている。なお、動作カウンタ３０の電源は動作カウンタ３０自身がもっているもの、すなわち、動作カウンタ３０が万歩計である場合にはその万歩計を動作させるためのバッテリーをそのまま使用する。このような万歩計は市販されている安価なものを利用することができる。また、動作カウンタ３０は、市販された万歩計を用いない場合には、別途、カウンタ回路を形成し、これを第１のリレー１０のメーク接点構造７０の出力信号の出力回数をカウントするようにしても良い。メーク接点構造７０の出力信号の出力回数とは、マグネットスイッチ４のＯＮ操作によるコイル１２が励磁した回数であり、駆動モータ３の動作の回数である。
【００２５】
タイマー回路４０は、トリガー信号を入力する信号入力端子４１とタイマー出力接点４２と電力の供給を受ける電源入力端子４３を備え、信号入力端子４１は第２のリレーの出力端子２４に接続され、電源入力端子４３は直流電源８０に電源スイッチ８１を介して接続されている。したがって、タイマー回路４０の信号入力端子４１に入力されるトリガー信号は、ワンショット回路２のワンショット信号である。
そして、タイマー回路４０にワンショット信号が入力されると、タイマー出力接点４２が瞬時にＯＮになって、所定時間経過後にタイマー出力接点４２をＯＦＦにする。これにより、タイマー回路４０の入力側のワンショット信号がチャタリングを起こしても、出力側のタイマー出力接点４２からの出力信号はチャタリングを起こさず、安定した出力信号を出力することができる。なお、「所定時間経過後」とは、測定をする時間の長さにより設定する。たとえば、測定対象時間２sec以上の場合は１secに、測定対象時間が２sec未満の場合は０．１secにする。また、この所定時間は固定であっても良いし、適宜設定できるようにしても良い。
【００２６】
ストップウォッチ５０は、既知のデジタルストップウォッチでスタート／ストップボタンとリセットボタンとを有し、そのスタート／ストップボタンを１回押圧するとスタート／ストップ接点５０ａが開閉して時間の計測を開始し、次に（２回目）押圧するとスタート／ストップ接点５０ａが開閉して時間の計測を停止するものである。そして、実施例１の時間計測装置１では、既知のデジタルストップウォッチを改造したものを用い、デジタルストップウォッチのスタート／ストップ接点５０ａ及びリセット接点を外部に取り出している。
具体的には、ストップウォッチ５０のスタート／ストップボタンを押圧すると接触する２つの接点５０ａと、リセットボタンを押圧すると接触する２つの接点とにそれぞれリード線５１を接続してこれらリード線５１を外部に引き出している。なお、スタート／ストップボタンの２つの接点のうち一方の接点はリセットボタンの２つの接点のうちの一方の接点と共通接点で構成されている。
そして、スタート／ストップボタンを押圧して接触する２つの接点（スタート／ストップ接点）５０ａから引き出されたリード線５１はそれぞれタイマー回路４０のタイマー出力接点４２の接点に各別に接続され、また、リセットボタンを押圧すると接触する２つの接点から引き出されたリード線５１にはリセットスイッチ５２が接続されている。
なお、ストップウォッチ５０の電源はストップウォッチ５０自身がもっているもの、すなわち、ストップウォッチ５０がデジタルストップウォッチである場合にはそのデジタルストップウォッチを動作させるためのバッテリーをそのまま使用する。このようなデジタルストップウォッチは市販されている安価なものを利用することができる。
【００２７】
次に、時間計測装置１の動作について説明する。図１１はタイムチャート図であり、各ステップｎは、図１１の時間軸（横軸）方向に「Ｓn」で示すものに対応している。
ステップ１：当該時間計測装置１の電源スイッチ８１がＯＦＦの状態を示し、各スイッチ、リレーなどの状態は図１のようになっている。
すなわち、時間計測装置１の電源スイッチ８１がＯＦＦの状態で、かつ、駆動モータ３のマグネットスイッチ４がＯＦＦの状態では、第１のリレー１０のコイル１２が非励磁（un-exciting）でトランスファ接点構造６０の可動子６１はブレーク接点６０ｂに接触している。可動子６１がブレーク接点６０ｂに接触した状態であるが、電源スイッチ８１がＯＦＦの状態であるため、出力端子６４ｂから出力信号は出力されていない状態である。また、メーク接点構造７０の可動子７１が非接触の状態であり、動作カウンタ３０へは出力信号が出力されずカウンタ「０」の状態である。
また、第２のリレー２０は電源スイッチ８１がＯＦＦであるため、そのコイル２２が非励磁で、可動子２１がブレーク接点２０ｂに接触されている。第２のリレー２０の可動子２１がブレーク接点２０ｂに接触しているが、電源スイッチ８１がＯＦＦであるため、出力端子２４から出力信号は出力されておらず、タイマー回路４０は作動していない状態である。
さらに、ストップウォッチ５０は、タイマー回路４０が作動していないためスタート／ストップ接点５０ａが接触していない状態であり、したがって、時間の計測は開始されていない状態である。
【００２８】
ステップ２：次に、当該時間計測装置１の電源スイッチ８１をＯＮにする。これにより、いつでも駆動モータ３が駆動し始めたときにその動作時間の計測を開始可能な状態となる（図２参照）。
この状態では、第１のリレー１０の状態はステップ１と変わらないが、第２のリレー２０のコイル２２が励磁（exciting）し、これにより可動子２１がブレーク接点２０ｂから離間して非接触の位置まで移動する（開状態）。
また、タイマー回路４０の電源入力端子４３にも電力が供給されるが、タイマー回路４０の信号入力端子４１に入力信号が入っていないためタイマー回路４０は作動していない状態である。もちろん、ストップウォッチ５０はそのスタート／ストップ接点５０ａが非接触のため時間の計測が開始されていない状態である。
【００２９】
ステップ３：駆動モータ３を回転させるためにマグネットスイッチ４をＯＮにする（図３参照）。マグネットスイッチ４のＯＮは、たとえば、タンク内の圧力の低下を検出して自動的に行われる。
マグネットスイッチ４がＯＮになると、第１のリレー１０のコイル１２が励磁され、トランスファ接点構造６０の可動子６１をブレーク接点６０ｂから離間させて、メーク接点６０ａ側へ移動させ（動作中）、その出力端子６４ｂからの出力信号が停止される。これにより、第２のリレー２０のコイル２２が非励磁となり、その可動子２１をブレーク接点２０ｂ側へ移動させる。なお、コイル２２が非励磁になるのは、可動子６１がブレーク接点６０ｂから離間した瞬間からやや遅延して、数msec後である。
また、第１のリレー１０のコイル１２が励磁されると、メーク接点構造７０の可動子７１が非接触状態からメーク接点７０ａとの接触する方向に移動される。
【００３０】
ステップ４：第２のリレー２０の可動子２１がブレーク接点２０ｂに接触すると（閉状態）、出力端子２４から出力信号が出力される（図４参照）。なお、第２のリレー２０のコイル２２が非励磁となって、可動子２１が非接触状態からブレーク接点２０ｂに接触するまでの時間は数msecである。この第２のリレー２０の動作時間（可動子２１が非接触状態からブレーク接点２０ｂに接触するまでの時間）はトランスファ接点構造６０の動作時間（可動子６１がブレーク接点６０ｂとの接触からメーク接点６０ａとの接触までに要する時間）よりも短く、トランスファ接点構造６０の可動子６１の動作中に、第２のリレー２０の可動子２１はブレーク接点６０ｂに接触するようになっている。
第２のリレー２０の可動子２１がブレーク接点２０ｂに接触すると、タイマー回路４０に出力信号を出力し、これにより、タイマー回路４０が作動を開始し、タイマー出力接点４２をＯＮにする。
続いて、タイマー出力接点４２がＯＮになると、その出力信号を受けて、ストップウォッチ５０はそのスタート／ストップ接点５０ａが接触して、時間の計測が開始される。
【００３１】
このように、ステップ３においてマグネットスイッチ４をＯＮにすると、トランスファ接点構造６０を動作させ、その可動子６１の動作中にワンショット回路２からワンショット信号が生成され、ストップウォッチ５０のスタート／ストップ接点５０ａを開閉させて、ストップウォッチ５０による時間の計測が開始される。
なお、実際には、第２のリレー２０の可動子２１がブレーク接点２０ｂに接触してからやや遅延してタイマー回路４０が作動し始めてタイマー出力接点４２をＯＮにする。さらにタイマー出力接点４２がＯＮになってからやや遅延して、スタート／ストップ接点５０ａを開閉する。したがって、ストップウォッチ５０による時間計測の開始は第２のリレー２０の可動子２１がブレーク接点２０ｂに接触してから数msec後である。
【００３２】
ステップ５：ステップ４から数msec経過後、トランスファ接点構造６０の可動子６１はメーク接点６０ａに接触する（図５参照）。ここで、数msecとは、可動子６１がブレーク接点６０ｂから離間した瞬間からメーク接点６０ａに接触する瞬間までの動作時間であり、トランスファ接点構造６０の特性に起因する。この動作時間はトランスファ接点構造を選択することにより所望する時間に設定することができる。なお、動作時間は一般的には５msec〜２０msecといわれている。
トランスファ接点構造６０の可動子６１はメーク接点６０ａに接触すると、第２のリレー２０のコイル２２が励磁され、その可動子２１が再びブレーク接点２０ｂから離間する（開状態）。
第２のリレー２０のブレーク接点２０ｂが開状態となると、タイマー回路４０への出力信号の出力が停止されるが、タイマー回路４０は所定時間（１sec）経過後でなければ作動を停止しないようになっているため、そのタイマー出力接点４２はＯＮの状態が維持される。
また、ステップ４から数msec経過後、メーク接点構造７０にあっては、その可動子７１がメーク接点７０ａに接触して（閉状態）、動作カウンタ３０に出力信号を出力する。これにより、動作カウンタ３０は「１」をカウントする。
【００３３】
ステップ６：ステップ５から所定時間（１sec）経過後、タイマー出力接点４２がＯＦＦになる（図６参照）。
そして、タイマー回路４０からの出力信号が停止されると、ストップウォッチ５０のスタート／ストップ接点５０ａが非接触にされる。これにより、ステップ４からステップ６までの間にストップウォッチ５０のスタート／ストップボタンをワンプッシュしたと同じ操作がなされる。
このように、ストップウォッチ５０のスタート／ストップ接点５０ａはタイマー出力接点４２がＯＮの状態の間、確実に接触した状態が維持され、たとえば、第２のリレー２０の出力信号がチャタリングを起こしても、ストップウォッチ５０のスタート／ストップ接点５０ａがチャタリングを起こすことはなく、スタート／ストップボタンを確実に１回の操作を行うことができる。
【００３４】
ステップ７：マグネットスイッチ４をＯＦＦにする（図７参照）。マグネットスイッチ４のＯＦＦは駆動モータ３の駆動によりタンク内の圧力が所定値になったことを検出して自動的に行われる。
マグネットスイッチ４がＯＦＦになると、第１のリレー１０のコイル１２が非励磁となり、トランスファ接点構造６０の可動子６１がメーク接点６０ａから離間されて、ブレーク接点６０ｂ側へ移動される。この可動子６１がメーク接点６０ａから離間すると、その出力端子６４ａからの出力信号が停止され、第２のリレー２０のコイル２２が非励磁となり、その可動子２１をブレーク接点２０ｂに接触する方向に移動させる。
また、メーク接点構造７０の可動子７１はメーク接点７０ａから離間され、これにより、メーク接点構造７０から動作カウンタ３０への出力信号が停止される。このとき、動作カウンタ３０は出力信号の出力が停止されただけなので、カウントはせず、次の入力信号が入って来るのを待機する状態となる。
【００３５】
ステップ８：第２のリレー２０の可動子２１がブレーク接点２０ｂに接触すると（閉状態）、ステップ４と同様に、出力端子２４から出力信号が出力される（図８参照）。
そして、タイマー回路４０が作動を開始し、タイマー出力接点４２をＯＮにする。
続いて、タイマー出力接点４２がＯＮになると、その出力信号を受けて、ストップウォッチ５０はそのスタート／ストップ接点５０ａが接触して、時間の計測が停止される。
【００３６】
このように、ステップ７においてマグネットスイッチ４をＯＦＦにしても、ステップ４と同様に、トランスファ接点構造６０を動作させ、その可動子６１の動作中にワンショット回路２からワンショット信号が生成され、ストップウォッチ５０のスタート／ストップ接点５０ａを開閉させて、ストップウォッチ５０による時間の計測が停止される。
なお、実際には、第２のリレー２０の可動子２１がブレーク接点２０ｂに接触してからやや遅延してタイマー回路４０が作動し始めてタイマー出力接点４２をＯＮにする。さらにタイマー出力接点４２がＯＮになってからやや遅延して、スタート／ストップ接点５０ａを開閉する。したがって、ストップウォッチ５０による時間計測の停止は第２のリレー２０の可動子２１がブレーク接点２０ｂに接触してから数msec後である。
【００３７】
ステップ９：ステップ８から数msec経過後、ステップ５と同様に、トランスファ接点構造６０の可動子６１はブレーク接点６０ｂに接触する（図９参照）。これにより、第２のリレー２０のコイル２２が励磁し、その可動子２１が再びブレーク接点２０ｂから離間する（開状態）。
第２のリレー２０のブレーク接点２０ｂが開状態となると、タイマー回路４０への出力信号の出力が停止されるが、タイマー回路４０は所定時間（１sec）経過後でなければ作動を停止しないようになっているため、そのタイマー出力接点４２はＯＮの状態が維持される。
【００３８】
ステップ１０：ステップ９から所定時間（１sec）経過後、タイマー出力接点４２はＯＦＦになる（図１０参照）。ステップ６と同様に、ストップウォッチ５０のスタート／ストップ接点５０ａが非接触にされて、ステップ４からステップ６までの間にストップウォッチ５０のスタート／ストップボタンをワンプッシュしたと同じ操作がなされる。
そして、第２のリレー２０の出力信号がチャタリングを起こしても、ストップウォッチ５０のスタート／ストップ接点５０ａがチャタリングを起こすことはなく、タイマー回路４０はスタート／ストップボタンを確実に１回だけ操作することができる。
これにより、ストップウォッチ５０による駆動モータ３の動作時間の計測は確実に終了する。
なお、ストップウォッチ５０をリセットする場合には、ストップウォッチ５０からリード線５１により引き出して設けたリセットスイッチ５２をワンプッシュすることにより行う。
【００３９】
以上のように、実施例１によれば、トランスファ接点構造６０のブレーク接点６０ｂとメーク接点６０ａとを短絡して、可動子６１がブレーク接点６０ｂとメーク接点６０ａとに切り替わる動作中のときに、第２のリレー２０の可動子２１とブレーク接点２０ｂとを瞬間的に接触させてワンショット信号を生成するようにしたので、簡単な構造で確実なワンショット信号を生成することができる。そして、このワンショット回路２のワンショット信号を用いてストップウォッチ５０のスタート／ストップ接点５０ａを操作することにより、ストップウォッチ５０での計測を自動で行うことができる。また、電気機器としての駆動モータ３の駆動電力を検出して直ちにストップウォッチ５０を操作させ、駆動電力の停止を検出して直ちにストップウォッチ５０を操作させるようにしたので、駆動モータ３の動作とともに瞬時に時間の計測を開始し、また、駆動モータ３の停止とともに瞬時に時間の計測を停止することができ、短い動作時間の電気機器であってもその動作時間の計測を精度良く行うことができる。
【００４０】
このような時間計測装置１は、コンプレッサの機能劣化（効率）を判断するのに用いることができる。
たとえば、タンク内の圧力が２８kg／cm2になるとコンプレッサを起動し、３０kg／cm2になるとコンプレッサを停止するように設定されたコンプレッサにおいて、そのコンプレッサを駆動する駆動モータ３の動作時間を時間計測装置１により計測した結果、４minかかったとする。また、タンク容量＝１０００Ｌ、コンプレッサの基準押し退け量＝１０００(Ｌ／min)とすると、コンプレッサの効率は以下の式により求められる。
停止圧力−駆動圧力＝ΔＰ（圧力差）
吐出量＝（ΔＰ／動作時間）×タンク容量
効率＝（吐出量／基準押し退け量）×１００％
具体的に数値を入力すると、
３０(kg／cm2)−２７(kg／cm2)＝３(kg／cm2)：ΔＰ
３(kg／cm2)／４(min)×１０００(Ｌ)＝７５０(Ｌ／min)
７５０(Ｌ／min)／１０００(Ｌ／min)×１００＝７５(％)
となり、このコンプレッサの効率は７５％であるという判断ができる。そして、この効率に基準値を設け、その基準値と比較して、コンプレッサの修理、オーバーホールまたは交換を行う目安にすることができる。
【００４１】
また、このような１回の時間計測により、コンプレッサの良否を判断するのでなく、複数回計測後、それらの平均値を取って、より正確にコンプレッサの良否を判断することができる。
このような判断を行うために、動作カウンタ３０による駆動モータ３の駆動回数のカウント数と計測時間の累積値とから求めることができる。
すなわち、駆動モータ３の動作時間の計測を複数回行い、その計測時間の累積値を動作カウンタ３０のカウント数で除算することにより、効率の平均値を求めることができ、コンプレッサの効率をより正確に判断することができる。
【００４２】
上記実施例１にあっては、電気機器である駆動モータ３の駆動電圧ＡＣ２２０Ｖを第１のリレー１０に直接入力させるようにしたが、本発明はこれに限らず、２相の動力線をリード線付きクリップでクランプして、各リード線を第１のリレー１０の入力端子に接続して、動力線の駆動電流の変化を検出して、第１のリレー１０を動作させるようにしてもよい（クランプ式の電流起動方式）。さらに、電気機器の駆動に関する検出信号にはモータの駆動時に発生する漏れ磁束を検出して、これを入力信号として第１のリレー１０を動作させるようにしても良い。
また、上記実施例１にあっては、その各リレーはシングルステーブルリレーとして説明したが、バイステーブルリレーであってもよい。
【産業上の利用可能性】
【００４３】
このような時間計測装置１は、コンプレッサの機能劣化の判断に利用できるほか、排水ポンプの能力試験の判断にも利用することができる。すなわち、タンク内の水位の変化をこの排水ポンプの動作時間を計測することにより行うことができる。また、断路器のバネ巻き上げ時間（駆動モータの動作時間）や継電器の動作時間の測定及びタイマー試験にも用いることができる。要は、電子機器の動作に伴い電流値、電圧値などの変化を検出することができるものであればその動作時間の計測に利用することができるということである。
【図面の簡単な説明】
【００４４】
【図１】スイッチ及びマグネットスイッチを投入していない状態を示す回路図である（ステップ１）。
【図２】スイッチを投入した状態を示す回路図である（ステップ２）。
【図３】マグネットスイッチを投入した状態を示す回路図である（ステップ３）。
【図４】第２のリレーのブレーク接点が閉状態になった状態を示す回路図である（ステップ４）。
【図５】トランスファ接点構造のメーク接点が閉状態になった状態を示す回路図である（ステップ５）。
【図６】タイマー出力接点がＯＦＦになった状態を示す回路図である（ステップ６）。
【図７】マグネットスイッチ４をＯＦＦにした状態を示す回路図である（ステップ７）。
【図８】第２のリレーのブレーク接点が閉状態になった状態を示す回路図である（ステップ８）。
【図９】トランスファ接点構造のブレーク接点が閉状態になった状態を示す回路図である（ステップ９）。
【図１０】タイマー出力接点がＯＦＦになった状態を示す回路図である（ステップ１０）。
【図１１】タイムチャート図である。
【符号の説明】
【００４５】
１  時間計測装置
２  ワンショット回路
３  駆動モータ
４  マグネットスイッチ
１０  第１のリレー
１１  計測入力端子
１２  コイル
２０  第２のリレー
２０ｂ  ブレーク接点
２１  可動子
２２  コイル
２３  入力端子
２４  出力端子
３０  動作カウンタ
４０  タイマー回路
４１  信号入力端子
４２  タイマー出力接点
４３  電源入力端子
５０  ストップウォッチ
５０ａ  スタート／ストップ接点
５１  リード線
５２  リセットスイッチ
６０  トランスファ型リレー
６０ａ  メーク接点
６０ｂ  ブレーク接点
６０ｃ  コモン接点
６１  可動子
６４ａ  出力端子（メーク接点）
６４ｂ  出力端子（ブレーク接点）
６４ｃ  出力端子（コモン接点）
７０  メーク接点構造
７０ａ  メーク接点
７１  可動子
７４  出力端子
８０  直流電源
８１  電源スイッチ
【図１】
2006133071.tif 000003
【図２】
2006133071.tif 000004
【図３】
2006133071.tif 000005
【図４】
2006133071.tif 000006
【図５】
2006133071.tif 000007
【図６】
2006133071.tif 000008
【図７】
2006133071.tif 000009
【図８】
2006133071.tif 000010
【図９】
2006133071.tif 000011
【図１０】
2006133071.tif 000012
【図１１】
2006133071.tif 000013